(57)【要約】【課題】パネル部材の両側の縁部をそれぞれ保持する各保持材のうち、一方を取り外しやすいように設計できる表示体を提供する。【解決手段】パネル部材と、このパネル部材の両側の縁部を保持する２個の支持枠材を備える主枠材と、前記各支持枠材へ取り付けて前記パネル部材の両側の縁部をそれぞれ保持する第一保持材及び第二保持材とを備え、前記第一保持材と第二保持材は前記主枠材に設けた第一係合部と第二係合部とに係合させて前記支持枠材からの脱離を防止し、前記第一保持材を前記第一係合部へ全長に亘り係合させ、前記第二保持材を前記第二係合部へ全長の一部分でのみ係合させる。前記第二保持材をこの第二保持材の全長の一部分でのみ前記第二係合部へ係合させるので、第一保持材と比較して第二保持材を支持枠材から取り外しやすく設計することができ、前記パネル部材を主枠材へ着脱容易に設計することができる。【選択図】        図３
2019061027.tif 000002
【特許請求の範囲】
【請求項１】
パネル部材と、該パネル部材の両側の縁部を保持する枠体とを備える表示体であって、
前記枠体は、２個の支持枠材を備える主枠材と、前記各支持枠材へ取り付けられて前記パネル部材の両側の縁部をそれぞれ保持する長尺体からなる第一保持材及び第二保持材とを備え、
前記第一保持材は、前記主枠材に設けられた第一係合部と係合して前記支持枠材からの脱離が防止されており、
前記第二保持材は、前記主枠材に設けられた第二係合部と係合して前記支持枠材からの脱離が防止されており、
前記第一保持材は前記第一係合部へ該第一保持材の全長に亘り係合しており、前記第二保持材は前記第二係合部へ該第二保持材の全長の一部分でのみ係合していることを特徴とする表示体。
【請求項２】
前記枠体は、１個の支持枠材に前記第一係合部及び第二係合部が形成され、前記１個の支持枠材で２個のパネル部材の縁部が保持されていることを特徴とする請求項１に記載の表示体。
【請求項３】
前記第二保持材は、長手方向の一方の端部で前記第二係合部へ係合し、他方の端部は第二係合部へ係合していないことを特徴とする請求項１又は２に記載の表示体。
【請求項４】
前記第二係合部は、前記支持枠材と別体に形成されて該支持枠材へ取り付けられた係合部材によって形成されていることを特徴とする請求項１〜３のいずれかに記載の表示体。
【請求項５】
前記第二保持材は、該第二保持材の長手方向の一部に前記第二係合部と係合不能な挿通部が形成されていることを特徴とする請求項１〜４のいずれかに記載の表示体。
【発明の詳細な説明】
【技術分野】
【０００１】
本発明は、主にサインや看板などに用いられる表示体に関するものである。
【背景技術】
【０００２】
表示を表すパネル部材や、表示を保護するパネル部材の縁部を枠体で保持する表示体は、従来より利用されている。このような表示体については、パネル部材の縁部を保持する部材を別体に形成して枠体へ取り付けるように設けた構成が用いられており、種々の発明が開示されている。
【０００３】
例えば、特許文献１には、パネル部材の周囲を囲い支持するサイン表示用枠材であって、基板部と該基板部の両縁から側壁部を延設した略コの字状の断面をしたフレーム部と、該基板部を覆うカバー基板部と両側の該側壁部の一部もしくは全部を覆うカバー側壁部を持つ略コの字状の断面であり前記フレーム部と重合するカバー部からなり、前記フレーム部と前記カバー部とが重合したときに前記側壁部と前記カバー側壁部との間に溝部をそれぞれ形成し、該溝部に前記パネル部材の端部を挿入して該パネル部材を支持することを特徴とするサイン表示用枠材が本出願人によって提案されている。
【先行技術文献】
【特許文献】
【０００４】
【特許文献１】特開２００９−０８６０８１号公報
【発明の概要】
【発明が解決しようとする課題】
【０００５】
特許文献１に示されるサイン表示用枠材は、フレーム部へ別体に設けたカバー部を重合させ、フレーム部の側壁部とカバー側壁部との間に形成した溝部でパネル部材の一辺を支持するように設けているが、本発明はこれとは異なる構成により、パネル部材の縁部を枠体で保持する表示体を提供するものである。
【課題を解決するための手段】
【０００６】
上記目的を達成するため、本発明は以下のような構成としている。
すなわち本発明に係る表示体は、パネル部材と、該パネル部材の両側の縁部を保持する枠体とを備える表示体であって、
前記枠体は、２個の支持枠材を備える主枠材と、前記各支持枠材へ取り付けられて前記パネル部材の両側の縁部をそれぞれ保持する長尺体からなる第一保持材及び第二保持材とを備え、
前記第一保持材は、前記主枠材に設けられた第一係合部と係合して前記支持枠材からの脱離が防止されており、
前記第二保持材は、前記主枠材に設けられた第二係合部と係合して前記支持枠材からの脱離が防止されており、
前記第一保持材は前記第一係合部へ該第一保持材の全長に亘り係合しており、前記第二保持材は前記第二係合部へ該第二保持材の全長の一部分でのみ係合していることを特徴としている。
【０００７】
本発明に係る表示体によれば、主枠材の各支持枠材へ取り付けた第一保持材と第二保持材とでパネル部材の両縁を保持するので、パネル部材を主枠材で保持できる。
また、前記第一保持材を前記主枠材に設けた第一係合部へ係合させて支持枠材からの脱離を防止させ、前記第二保持材を前記主枠材に設けた第二係合部へ係合させて支持枠材からの脱離を防止させるので、第一保持材と第二保持材を支持枠材へ容易に取り付けることができる。
また、前記第一保持材を前記第一係合部へ全長に亘り係合するので、第一保持材を支持枠材へより安定的に取り付けることができる。
また、前記第二保持材をこの第二保持材の全長の一部分でのみ前記第二係合部へ係合させるので、第一保持材と比較して第二保持材を支持枠材から取り外しやすく設計することができ、前記パネル部材を主枠材へ着脱容易に設計することができる。
【０００８】
また、１個の支持枠材に前記第一係合部及び第二係合部を形成し、前記１個の支持枠材で２個のパネル部材の縁部を保持すれば、前記枠体で２個のパネル部材を保持できるので、好ましい。
【０００９】
また、前記第二保持材を、長手方向の一方の端部で前記第二係合部へ係合させ、他方の端部を第二係合部へ係合させなければ、前記第二保持材を長手方向へ移動させて、第二係合部との係合を外し、第二保持材を主枠材から容易に取り外せるように設計することができるので、好ましい。
【００１０】
また、前記第二係合部を、前記支持枠材と別体に形成させてこの支持枠材へ取り付けた係合部材によって形成すれば、第二係合部の配置などを容易に変更可能に設計することができ、前記第二保持材の主枠材からの取り外しを容易に設けるか否かを必要に応じ選択して設計できるので、用途に応じた表示体を容易に形成でき、好ましい。
【００１１】
また、前記第二保持材の長手方向の一部に前記第二係合部と係合不能な挿通部を形成すれば、前記第二保持材を長手方向へ移動させて前記挿通部と第二係合部との位置を合わせることで、前記第二保持材と主枠材との係合を外し、第二保持材を主枠材から容易に取り外せるように設けることができるので、好ましい。
【発明の効果】
【００１２】
本発明に係る表示体によれば、パネル部材の両側の縁部をそれぞれ保持する第一保持材と第二保持材のうち、第一保持材と比較して第二保持材を主枠材からより取り外しやすく設計することができる。
【図面の簡単な説明】
【００１３】
【図１】本発明に係る表示体の実施の一形態を示す、（イ）は正面図であり、（ロ）は側面図である。
【図２】図１の表示体の平面図である。
【図３】表示体の横断面を示す、図１のＡ−Ａ断面図である。
【図４】図３の図中左側の支持枠材付近を拡大した図である。
【図５】図４の支持枠材を示す断面図である。
【図６】図４の第一保持材を示す断面図である。
【発明を実施するための形態】
【００１４】
発明の実施の形態を図面に基づき具体的に説明する。
図面において、１は表示体である。
表示体１は、縦長矩形の平板状に形成したパネル部材７と、このパネル部材７を支持する枠体２とを備えており、パネル部材７の板面に表示を形成して表すように設けている。
前記枠体２は、幅方向に間隔をあけて配置した２個の支持枠材３と、各支持枠材３の間に架け渡して取り付けた桟部材５とで構成される主枠材を備えている。
前記パネル部材７は幅方向の両縁を各支持枠材３に支持させて取り付けており、具体的には、パネル部材７の両縁を各支持枠材３へ取り付けた第一保持材４ａ及び第二保持材４ｂでそれぞれ保持している。
前記表示体１は、２個のパネル部材７を有しており、各パネル部材７は表示体１の厚み方向に間隔をあけて配置させ、幅方向の両縁をそれぞれ前記各支持枠材３に支持させて取り付けている。
【００１５】
前記主枠材の桟部材５は、横長矩形の平板形状に形成しており、その幅方向両端の板面を各支持枠材３へ当接させて固定させている。
前記桟部材５は、上下方向に間隔をあけて３個配置させて前記各支持枠材３の前側に取り付けると共に、上下方向に間隔をあけて３個配置させて各支持枠材３の後側に取り付けており、合計６個の桟部材５を前記各パネル部材７の間に配置して取り付けている。
【００１６】
図２は図１の表示体１の平面図である。
前記枠体２は、前記各支持枠材３の上端間に架設させて取り付けた天板６を備えている。前記天板６は、上下方向へ挿通させたねじＮ１を各支持枠材３へ螺挿させて取り付けており、また、上下方向へ挿通させたねじＮ２を前記第一保持材４ａ及び第二保持材４ｂへ螺挿させて取り付けている。
前記天板６は、その一部が前記各パネル部材７の真上に位置するように配置させており、各パネル部材７が上方へ移動して枠体２から脱離することを防止している。
また、前記ねじＮ１を螺挿させた各支持枠材３や、前記ねじＮ２を螺挿させた第一保持材４ａ及び第二保持材４ｂは、天板６によって上端における移動が規制される。
【００１７】
図３は表示体１の横断面を示す、図１のＡ−Ａ断面図であり、図４は図３の図中左側の支持枠材３付近を拡大した図である。
前記支持枠材３は、アルミニウム合金の押出成形で形成した長尺体であり、全長に亘り同一の断面形状に形成している。また、幅方向へ間隔をあけて配置した２個の前記各支持枠材３は、それぞれ同じ断面形状に形成している。
前記各支持枠材３には、各パネル部材７の幅方向の両縁をそれぞれ保持する前記第一保持材４ａと第二保持材４ｂとを取り付けており、具体的には、図３の左側に配置した支持枠材３の前側と後側にそれぞれ第一保持材４ａと第二保持材４ｂを取り付けると共に、図３の右側に配置した支持枠材３の前側と後側にそれぞれ第二保持材４ｂと第一保持材４ａとを取り付けている。即ち、前記各パネル部材７は、左右の一方の縁部を第一保持材４ａに保持させ、他方の縁を第二保持部材４ｂに保持させて、前記枠体２へ取り付けている。
尚、前記第一保持材４ａと第二保持材４ｂは、それぞれアルミニウム合金の押出成形で形成した長尺体であり、全長に亘り同一の断面形状に形成している。また、第一保持材４ａと第二保持材４ｂは同じ断面形状に形成している。
前記第一保持材４ａと第二保持材４ｂは、長手方向の大きさを、保持する前記パネル部材７の縁部に対応する大きさにそれぞれ形成している。
【００１８】
図５は図４の支持枠材３を示す断面図である。
支持枠材３は長手方向の両端が開口する筒状の長尺体である。
支持枠材３の筒壁には、所謂ビスホールを構成する断面円形のねじ受け溝３６を形成しており、前記天板６に挿通させた前記ねじＮ１の雄ねじ部分を支持枠材３の上端から前記ねじ受け溝３６の内側へ螺挿可能に設けている。
【００１９】
図５に示す配置において、支持枠材３には、図中下方である厚み方向前側に前記第一保持材４ａを取り付け、図中上方である厚み方向後側に前記第二保持材４ｂを取り付けるように設けている。
前記支持枠材３の図中下方向である前側には、前記第一保持材４ａが係合する第一係合部３１を形成している。
第一係合部３１は、厚み方向外側へ開口する溝形状に形成しており、開口側の溝幅の大きさを底側よりも小さく形成している。詳細には、前記第一係合部３１は、支持枠材３の前面から厚み方向内側へ向けて窪み、更にその溝底から幅方向内側へ向けて延出するように窪む、略Ｌの字形の断面形状の溝に形成している。
尚、上記の幅方向内側の内側とは、表示体１全体から見ての内側方向を意味している。
前記第一係合部３１は、その溝の内側へ後述する第一保持材４ａの第一係着部４１を挿入させ、前記第一保持材４ａが支持枠材３の厚み方向外側へ脱離不能に係合するように設けている。
【００２０】
前記支持枠材３の厚み方向後側には、前記第二保持材４ｂの第一係着部４１を収納可能な凹部３２を形成している。
凹部３２は、厚み方向外側へ開口する溝形状に形成しており、その開口側の溝幅の大きさを前記第一係着部４１の幅より大きく形成している。即ち、前記凹部３２は、その溝の内側へ挿入した保持材４ｂの第一係着部を支持枠材３の厚み方向外側へ脱離可能に収納するように設けている。
前記凹部３２、第一係合部３１、及びねじ受け溝３６は、長手方向に沿って支持枠材３の全長に亘り形成している。
【００２１】
図６は図４の第一保持材４ａを示す断面図である。
第一保持材４ａには、所謂ビスホールを構成する断面円形のねじ受け溝４６を形成しており、前記天板６に挿通させた前記ねじＮ２の雄ねじ部分を第一保持材４ａの上端から前記ねじ受け溝４６の内側へ螺挿可能に設けている。
【００２２】
前記第一保持材４ａには、第一係着部４１を厚み方向へ突出させて形成している。
前記第一係着部４１は、前記支持枠材３の第一係合部３１の内側形状に対応する外形に形成しており、略Ｌの字形の断面形状に形成している。
前記第一係着部４１は、支持枠材３の長手方向の端から前記第一係合部３１の内側へ差し込むように挿入して、係合させるように設けている。
【００２３】
前記第一保持材４ａには、前記パネル部材７の縁部を挿入可能な保持溝４７を形成している。
前記保持溝４７は、前記第一係着部４１を支持枠材３の第一係合部３１へ係合させた状態で、前記パネル部材７の縁部を内側へ挿入させて、厚み方向へ脱離不能に保持するように設けている。
【００２４】
前記第一保持材４ａには、厚み方向における前記第一係着部４１と保持溝４７との間の位置に、第二係着部４２を形成している。
図６に示す第一保持材４ａは、前記第二係着部４２を、幅方向内側へ突出する平板状に形成している。
【００２５】
前記ねじ受け溝４６、第一係着部４１、及び第二係着部４２は、長手方向に沿って第一保持材４ａの全長に亘り形成している。
また、前記第二保持材４ｂは、第一保持材４ａと同じ断面形状に形成しており、第一保持材４ａと同様に、ねじ受け溝４６、第一係着部４１、及び第二係着部４２を長手方向に沿って全長に亘り形成している。
【００２６】
図３、４に示すように、前記各桟部材５は、ねじやリベットからなる固定部材ｆによって幅方向の端部を支持枠材３へ固定し、各支持枠材３の間に架け渡すように取り付けている。
各桟部材５を取り付けることにより、前記各支持枠材３は互いの配置が変化するような移動が規制される。
【００２７】
前記第一保持材４ａは、その第一係着部４１を第一係合部３１へ係合させて支持枠材３に取り付けており、前記係合により幅方向外側へ脱離不能となされている。前記第一係着部４１と第一係合部３１との係合は前記第一保持材４ａの全長に亘り、第一保持材４ａを支持枠材３から取り外す場合は、前記天板６を取り外し、第一保持材４ａを長手方向へ移動させてその下端に至るまで支持枠材３の上端から抜き外す必要がある。
また、前記第一保持材４ａを支持枠材３へ取り付けた状態において、その第二係着部４２の幅方向外側に、支持枠材３へ取り付けた前記各桟部材５の端部５２が位置するように配置させている。
【００２８】
前記第二保持材４ｂは、その第一係合部４１を凹部３２へ収納させて、支持枠材３へ取り付けている。
また、第二保持材４ｂの支持枠材３への取り付けにおいて、支持枠材３へ取り付けた前記桟部材５を前記第二保持材４ｂへ係合する係合部材として機能させている。
具体的には、図３、４に示すように、支持枠材３へ取り付けた前記桟部材５の端部５２を前記第二保持材４ｂの第二係着部４２の幅方向外側に配置させ、この第二係着部５２へ係合する第二係合部として機能させている。
第二係合部となされる前記端部５２と第二係着部４２との係合により、前記第二保持材４ｂの幅方向外側への脱離を防止している。
【００２９】
第二保持材４ｂを支持枠材３から取り外す場合は、前記天板６を取り外し、第二係合部となされる前記端部５２と第二係着部４２との係合が外れるまで第二保持材４ｂを長手方向へ移動させれば、前記第二保持材４ｂを取り外すことができる。
図１〜４に示す表示体１において、前記第二保持材４ｂは、その第二係着部４２を、上下方向に間隔をあけて配置させた３個の桟部材５の各端部５２全てに係合させている。この第二保持材４ｂを支持枠材３から取り外す場合には、天板６を取り外した後、最も上方に配置した桟部材５の端部５２よりも上方に至るまで前記第二保持材４ｂを長手方向上方へ移動させれば、支持枠材３から取り外すことができる。そして、図１に示すように、最も上方に位置する桟部材５の上端を前記支持部材３の上端に配置しているので、前記第二保持材４ｂは、前記第一保持材４ａと同様に、その下端が支持部材３の上端から抜けるまで移動させなければ支持枠材３から取り外すことができないように設けている。
【００３０】
前記表示体１は、前記第一保持材４ａよりも容易に、前記第二保持材４ｂを前記支持部材３から取り外し可能に設けることができる。
具体的には、図１〜４の表示体１では、支持枠材３へ取り付けた各桟部材５を全て第二保持材４ｂへ係合する係合部材として機能させているが、一部の桟部材５を係合部材として機能しないように設けることで、第二保持材４ｂをより容易に支持部材３から取り外し可能とすることができる。
例えば、上下方向に間隔をあけて３個配置させた各桟部材５のうち、最も上方に配置した前記桟部材５を若干短く形成して、その端部５２を前記第二係着部４２の厚み方向外側へ配置させなければ、前記第二保持材４ｂの第二係着部４２は、長手方向上方の端部では前記端部５２が構成する第二係合部へ係合せず、長手方向下部および中央付近でのみ前記端部５２からなる第二係合部へ係合するように設けられる。このため、前記第二保持材４ｂを支持部材３の上端まで移動させることなく、上方から２番目に配置した桟部材５の端部５２と第二係着部４２との係合が外れるまで前記第二保持材４ｂを移動させ、更に前記第二保持材４ｂを厚み方向へ移動させて凹部３２から第一係着部４１を抜き外せば、第二保持材４ｂを支持枠材３から取り外すことができる。
また、前記３個の桟部材５のうち、最も下方に配置させた桟部材５の端部５２のみを前記第二係着部４２の厚み方向外側へ配置させるように設ければ、前記第二保持材４ｂの第二係着部４２は、長手方向下方の端部でのみ前記端部５２からなる第二係合部へ係合するように設けられる。このため、前記最下方に配置した桟部材５の端部５２と第二係着部４２との係合が外れるまで前記第二保持材４ｂを長手方向上方へ移動させ、更に第二保持材４ｂを厚み方向へ移動させれば、支持枠材３から取り外すことができるので、前記第二保持材４ｂの支持枠材３からの取り外しが更に容易なものとなされる。
前記第二保持材４ｂを支持枠材３から容易に取り外せるように設ければ、支持枠材３で支持するパネル部材７の交換がより容易にできるので、表示体１の表示の変更やリニューアルが簡単にできる。
【００３１】
また、前記各桟部材５の一部を係合部材として機能しないように設ける上記の構成とは異なる構成によって、前記第一保持材４ａよりも容易に、前記第二保持材４ｂを前記支持部材３から取り外し可能に設けることができる。
具体的には、図１〜４に示す表示体１の第二保持材４ｂにおいては、第二保持材４ｂと係合する係合部材として機能する前記桟部材５のうち、最も上方に配置する桟部材５の上端を前記各支持枠材３の上端に位置させて取り付けているが、この桟部材５の上端を前記各支持枠材３の上端より下方に位置させて取り付けることで、前記第二保持材４ｂを前記支持枠材３の上端に至るまで移動させることなく、前記第二係着部４２と桟部材５の第二係合部との係合を外して、第二保持材４ｂを前記支持枠材３から取り外し可能も設けることができる。
【００３２】
また、図１〜４に示す表示体１の第二保持材４ｂにおいては、前記第二係着部４２を第二保持材４ｂの長手方向の全長に亘り形成しているが、この第二係着部４２に前記端部５２からなる第二係合部へ係合不能な切り欠き状の挿通部を形成することで、前記第二保持材４ｂを支持部材３から容易に取り外せるように設けることができる。
前記挿通部は、前記端部５２の上下方向の大きさよりも若干大きな切り欠き状に形成すると共に、前記第二保持材４ｂを支持枠材３へ取り付けた状態において、前記端部５２の下方に対応する位置に配置させて設ける。
このように設けた第二保持材４ｂは、表示体１から天板６を取り外し、第二保持材４ｂを長手方向上方へ移動させて前記挿通部と前記端部５２の位置を一致させれば、前記端部５２と第二係着部４２との係合が外れるので、前記第二保持材４ｂを厚み方向外側へ移動させて前記支持枠材３から取り外すことができる。
【００３３】
尚、本発明に係る表示体１は、上記実施形態に限定されるものではなく、本発明の要旨を逸脱しない範囲で種々の変更が可能である。
例えば、前記表示体１は、パネル部材７の板面に表示を形成して表すように設けているが、これに限るものではない。前記パネル部材７を透明板材で形成し、パネル部材７よりも厚み方向内側へ配置した別の表示部材を保護する保護カバーとして機能するように設けても良い。
【００３４】
また、前記表示体１は、前記各支持枠材３の長手方向を上下方向へ向けて配置させているが、これに限るものではなく、長手方向を横方向へ向けて配置させてもよく、他の方向へ向けて配置させても良い。
【００３５】
また、前記表示体１は、厚み方向の前側及び後側にそれぞれ１個づつ合計２個のパネル部材７を配置して、主枠材の前記支持枠材３に支持させているが、これに限るものではなく、前側又は後側にパネル部材７を１個のみ配置して支持枠材３で支持させてもよい。
また、前記第一保持材４ａ及び第二保持材４ｂに左右の両縁を保持させたパネル部材７を上下方向へ段積み状に取り付けて、複数個のパネル部材７を表示体１の厚み方向前側や後側に配置させてもよい。
【００３６】
また、前記表示体１は、第二保持材４ａの第二係着部４２へ係合させるために主枠材に設ける第二係合部を、支持枠材３へ取り付けた桟部材５の端部５２で構成しているが、これに限るものではなく、桟部材５とは異なる別の部材を支持部材３へ取り付けて前記第二係合部を構成してもよく、別部材ではなく支持部材３に一体的に形成させてもよい。しかしながら、前記第二係合部を桟部材５の端部５２で形成すれば、第二係合部をより容易に主枠材へ設けることができるので、好ましい。
【００３７】
また、前記表示体１は、第一保持材４ａと第二保持材４ｂとを断面形状が同一の長尺体に形成しているが、これに限るものではなく、断面形状を異ならせても良い。しかしながら、第一保持材４ａと第二保持材４ｂの断面形状を同一に形成すれば、部材の調達がより容易となるので、好ましい。
【符号の説明】
【００３８】
１    表示体
２    枠体
３    支持枠材
３１  第一係合部
３２  凹部
３６  ねじ受け溝
４ａ  第一保持材
４ｂ  第二保持材
４１  第一係着部
４２  第二係着部
４６  ねじ受け溝
４７  保持溝
５    桟部材
５２  端部
６    天板
７    パネル部材
Ｆ    固定部材
【図１】
2019061027.tif 000003
【図２】
2019061027.tif 000004
【図３】
2019061027.tif 000005
【図４】
2019061027.tif 000006
【図５】
2019061027.tif 000007
【図６】
2019061027.tif 000008